(57)【特許請求の範囲】
【請求項１】
ＴＳ信号を受信し、該受信したＴＳ信号を復号して、該受信したＴＳ信号の受信状態情報を検出して該復号したＴＳ信号と共に出力する受信手段と、
前記復号したＴＳ信号のＴＳパケット中のｎｕｌｌ情報を前記受信状態情報に差し替えて、差し替えたＴＳパケットのＰＩＤのＩＤ値を記述する多重手段と、
前記多重手段の出力信号のＴＳ信号を送信する送信手段とを備える中継装置において、
前記多重手段は、更に、前記復号したＴＳ信号のＴＳパケット中のｎｕｌｌ情報を前記受信状態情報に差し替えて、差し替えたＴＳパケットのＰＩＤのＩＤ値をＦＦ若しくはＦＤに周期的に交互に選択して記述する手段を備えたことを特徴とする中継伝送装置。
【請求項２】
請求項１の中継伝送装置において、前記多重手段は、前記ＦＦ若しくはＦＤのＩＤ値で記述されたＰＩＤを有するＴＳパケットを抽出する抽出手段を備え、前記中継伝送装置が受信したＴＳ信号のその地点での受信状態情報を、所定の頻度でＦＣのＩＤ値に置き換えて、抽出したＦＦ若しくはＦＤのＩＤ値を有するＴＳパケットに挿入し、次段の中継伝送装置若しくは受信装置に送信する手段を備えたことを特徴とする中継伝送装置。
【請求項３】
請求項１乃至請求項２の中継伝送装置において、前記多重手段は、少なくとも、切替パルスを所定周期で出力する制御器、前記制御器から入力される前記切替パルスに応じてＦＦ若しくはＦＤのＩＤ値を周期的に交互に選択して出力する切替器、及び前記切替器から入力くされるＦＦ若しくはＦＤのＩＤ値に応じて多重するマルチプレクサ本体を有し、前記受信状態情報を４個目毎の前記ＴＳパケット中のｎｕｌｌ情報と差し替えることを特徴とする中継伝送装置。
【発明の詳細な説明】
【技術分野】
【０００１】
本発明は、ＯＦＤＭ（ Orthogonal Frequency Division Multiplex ）変調方式やシングルＱＡＭ（ Quadrature Amplitude Modulation ）変調方式のデジタル伝送装置に関わり、特に中継伝送装置の受信情報伝送技術に関する。
【背景技術】
【０００２】
放送局での一般的な移動中継では、受信点は小高い丘などに設け、搬送波の周波数が８００［ＭＨｚ］帯のＯＦＤＭ（ Orthogonal Frequency Division Multiplex ）を用いて映像を伝送する。
ＭＰＥＧ（ Moving Picture Experts Group ）形式の圧縮符号化による映像の伝送においては、遅延プロファイルが異常の場合には、ＮＧ時画像フリーズが起き易いと考えられている。従って、受信状態情報として、遅延プロファイルを監視することは、フリーズを予期する上で重要な情報である。遅延プロファイル等の受信状態情報は受信点からセンタへ映像と共に伝送し、受信点とセンタの各々で、伝送状態のアラームとして検出している。
【０００３】
このように、近年では、伝送が不可能（ＮＧ）になるまでのマージン検知のために、受信波から抽出した遅延プロファイルを表示した判断することは、業界の常識となった。
しかし２００３年頃までは、例えば、小高い丘で得た映像をスタジオのある放送局本社等へ伝送する場合には、アナログ式のマイクロ回線で伝送された。そして、実際に伝送すべき放送映像を本線で送り、遅延プロファイルの表示画像を別の線で送る必要があり、２本のマイクロ回線で伝送しなければならない等の不便さがあった。
このため、ＯＦＤＭ（ Orthogonal Frequency Division Multiplex ）等のデジタル伝送装置を用いて映像と共に遅延プロファイルの表示画像を多重して伝送するのが現在実施されている。
【０００４】
デジタル伝送装置の代表的な中継形態について、図５により説明する。図５は、データ訂正処理が適用されたデジタル中継伝送装置を映像中継システムに適用したときの全体構成の概略図で詳細な機器は省略してある。１００は移動中継車に搭載された送信機（ TX ）、２００は受信点に設けられた受信機（ RX ）、３００は受信点に設けられた送信機（ TX ）、４００はスタジオに設けられた受信機（ RX ）である。
図５の場合、例えば、ロードレース中のランナーの被写体像を捉えているカメラを搭載した移動車両などの撮影現場が送信側に相当し、位置が固定された放送局（スタジオ側）が受信側に相当する。これらの間では、例えばマイクロ波帯の電波を用いた無線伝送形式となる。
更に、放送局から撮像現場が遠い場合、或いは、伝送路の途中に電波の伝播に障害となる物があった場合、撮影現場と放送局の間に中継部を設ける必要が生じる。中継部は、例えば、小高い山頂や高層ビルの屋上など見通しの良い場所に設置される。
【０００５】
図５において、ロードレース中のランナー等の被写体の生映像は、移動中継車のカメラにより撮影され、得られた映像信号は例えば８００ＭＨｚ帯で伝送する送信機１００により、小高い山頂にある受信点に伝送される。この受信点は、ロードレースのコースを見渡せる場所が選択される。
受信点に設けられた受信機２００で受信したランナーの生映像は、送信機３００により、放送局であるスタジオにマイクロ波帯で伝送される。
スタジオでは、映像受信機４００が受信点からのランナーの映っている生映像を受信する。スタジオでは、その後、この生映像を本線映像として、全国の茶の間に放送する。
なお、伝送状態や距離の関係で、中継部を複数個所に設けることがあるが、方式的には、ほぼ同様の構成で伝送される。
【０００６】
図６によって、従来の中継伝送時の装置構成の概略を説明する。図６は、従来の中継伝送装置の概略構成を示すブロック図である。図６の場合には、撮影現場を地点Ａとし、中継部を２か所（地点Ｂ及び地点Ｃ）設け、放送局を地点Ｄとしている。地点Ａで取得した生映像は、地点Ａ、地点Ｂ、地点Ｃ、地点Ｄの順番で中継される。１０１は地点Ａの送信機（ TX1 ）、３０１は地点Ａの送信用アンテナ、３０２Ｒは地点Ｂの受信用アンテナ、２０２は地点Ｂの受信機（ RX2 ）、４０２は地点Ｂのマルチプレクサ（ MUX ）、１０２は地点Ｂの送信機（ TX2 ）、３０２Ｔは地点Ｂの送信用アンテナ、５０２は地点Ｂの受信ユニット（ RU1 ）、３０３Ｒは地点Ｃの受信用アンテナ、５０３は地点Ｃの受信ユニット（ RU2 ）、６０３は地点Ｃの遅延プロファイル表示部、７０３は地点Ｃの遅延プロファイル表示部（遅延ＰＦアダプタ）６０３の表示画面例、８０３は地点Ｃのデコーダ、１０３は地点Ｃの送信機（ TX3 ）、３０３Ｔは地点Ｃの送信用アンテナ、３０４は地点Ｄの受信用アンテナ、５０４は地点Ｄの受信ユニット（ RU3 ）、６０４は地点Ｄの遅延プロファイル表示部（遅延ＰＦアダプタ）、８０４は地点Ｃのデコーダである。また、Ｗ１は地点Ａの送信用アンテナ３０１から地点Ｂの受信用アンテナ３０２Ｒに送信される信号電波、Ｗ２は地点Ｂの送信用アンテナ３０２Ｔから地点Ｃの受信用アンテナ３０３Ｒに送信される信号電波、Ｗ３は地点Ｃの送信用アンテナ３０３Ｔから地点Ｄの受信用アンテナ３０４に送信される信号電波である。また更に、受信ユニット５０２は、地点Ｂの、受信機２０１、マルチプレクサ４０２で構成される。また、受信ユニット５０３及び５０４も受信ユニット５０２と同様に、図示しないマルチプレクサ４０３及び４０４を備えている。
【０００７】
図６において、地点Ａでは、テレビカメラで撮像した映像信号がＭＰＥＧ形式で圧縮したＴＳ（ Transport Stream ）信号として、送信機１０１に入力される。送信機１０１は、入力された信号をＯＦＤＭ変調して、多数の搬送波に変換し、更に変調と周波数変換処理して、送信用アンテナ３０１を介して電波Ｗ１として、山頂にある地点Ｂの受信用アンテナ３０２Ｒに向けて送信する。
受信用アンテナ３０２Ｒで受信された電波Ｗ１は、受信ユニット５０２の受信機２０２に入力される。受信機２０２は、入力された信号を中間周波信号に変換してから復調し、再生圧縮データとして復元する。復元された再生圧縮データは、送信機１０２から送信用アンテナ３０２Ｔを介して、電波Ｗ２として送信される。
【０００８】
また同時に、復調機２０２で受信された電波Ｗ１の受信状態情報は、受信した信号と共に、マルチプレクサ４０２に出力される。マルチプレクサ４０２は、受信された信号と受信状態情報Ｆｒ１を多重化して多重信号（再生圧縮データ）として送信機１０２に出力する。送信機１０２は、送信用アンテナ３０２Ｔを介して再生圧縮データのＴＳ信号ＴＳ２をマイクロ波の電波Ｗ２に乗せて送信させ、地点Ｃの受信用アンテナ３０３Ｒに向けて送信する。受信状態情報Ｆｒ１は、例えば、遅延プロファイル情報である。受信プロファイル情報には、例えば、受信地点での電界状態、反射波の有無及びレベル、並びにＢＥＲ（ Bit Error Rate ）の状態、等がある。
ＴＳ信号は、ＴＳパケットと呼ばれる固定長（例えば、２０４バイト）に小分けされた連続した信号列とされ、伝送し易いようにしている。映像や音声等各ＴＳストリームは、それぞれ固有のＰＩＤ（パケット識別子）を持ち、各ＴＳパケットには、その固有のＰＩＤがパケットヘッダーが付されて、ＴＳパケットの種類を表す。例えば、受信状態情報Ｆｒ１のＰＩＤのＩＤ値は、ＰＩＤ＝ＦＦ（Ｐｆ_ｆ）にて多重化される。
【０００９】
地点Ｃでは、受信用アンテナ３０３Ｒが電波Ｗ２を受信して復号ユニット５０３に出力する。復号ユニット５０３でも、上記の復号ユニット５０２と同様な処理がなされ、ＴＳ信号ＴＳ３が電波Ｗ３として送信アンテナ３０３Ｔから地点Ｄの受信アンテナ３０４に送信される。
同時に、復号ユニット５０３は、復号したＴＳ信号ＴＳ３をデコーダ８０３と遅延プロファイル表示部（遅延ＰＦアダプタ）６０３に出力する。デコーダ８０３は、ＴＳ信号ＴＳ３をデコードし映像信号に伸張することによって再生して、本線映像として放送する等の出力が可能である。また、遅延ＰＦアダプタ６０３は、遅延プロファイル情報を内蔵若しくは外付けの表示部に例えば表示画面７０３のように表示することができる。
【００１０】
スタジオ側（放送局側）である地点Ｄでは、受信用アンテナ３０４が電波Ｗ３を受信して復号ユニット５０４に出力する。復号ユニット５０４でも、上記の復号ユニット５０２や５０３と同様な処理がなされ、復号したＴＳ信号ＴＳ４をデコーダ８０４と遅延プロファイル表示部（遅延ＰＦアダプタ）６０４に出力する。デコーダ８０４は、ＴＳ信号ＴＳ４をデコードして、本線映像として放送する等の出力すある。また、遅延ＰＦアダプタ６０４は、遅延プロファイル情報を内蔵若しくは外付けの表示部に表示する。
【００１１】
このように、マイクロ系伝送装置をデジタル化したことによって、遅延プロファイル等の受信状態情報は、受信機の出力であるＴＳ（ Transport Stream ）信号に多重して受信状態情報を伝送する方法が考えられた。
受信状態情報の多重の具体的な説明をタイムチャートを図７によって説明する。図７は、従来の受信状態情報を多重化した場合のＴＳ信号のタイミングチャートである。ＴＳパケットＴＳ１２１−１〜１２１−１１が、横（時間軸上）に伝送されていることを示している。図７は、このＴＳパケットＴＳ１２１−１〜１２１−１１の中に受信状態情報の中の遅延プロファイルを定期的に多重して伝送しているタイミングについて説明するための図である。
即ち、図７において、４個目のＴＳパケットＴＳ１２１−３、１２１−７、及び１２１−１０、‥‥‥と、４個目毎のＴＳパケットのｎｕｌｌ情報を受信状態情報に差し替えて、差し替えたＴＳパケットのＰＩＤのＩＤ値をＦＦ（ｐｆ＿ｆ）と記述して伝送している。なお、ｎｕｌｌ情報が少ないＴＳパケットの場合には圧縮率を上げてｎｕｌｌ情報を増やしてから伝送状況情報と差し替える。
また、標準的な遅延プロファイル表示ユニット若しくはアダプタの場合には、ＰＩＤのＩＤ値がＦＦであるＴＳパケットを探して伝送状況情報を抽出して表示する。また、地点Ｂの受信状態を地点Ｃの経由する等、多段にて、それぞれの中継部からそれぞれの受信状態情報を伝送する場合も多い。
【００１２】
【特許文献１】特開２００７−２５１７０５号公報
【発明の開示】
【発明が解決しようとする課題】
【００１３】
上述したように、従来は、受信状態情報をＴＳパケットのＰＩＤとしてＩＤ値の記述をＦＦ（ＰＩＤ＝ＦＦ）のように１種類の値で多重伝送していた。
標準の遅延ＰＦアダプタの場合には、ＰＩＤ＝ＦＦであるＴＳパケットを検索して、そのＴＳパケットから、伝送されてきた前段以前の中継局の受信状態情報を表示することができる。また、遅延ＰＦアダプタの仕様によっては、ＰＩＤのＩＤ値がＦＦでなくても検索して受信状態情報を表示することができる場合もある。
しかし、例えば、ある種のＴＳＬ（ Transmitter-Studio-Link ）回線では、ＰＩＤ＝ＦＦの多重分を削除してしまうので、標準の遅延ＰＦアダプタでは、受信状態情報を表示することができなかった。この対応策として、特殊な遅延ＰＦアダプタを用い、ＰＩＤ＝ＦＤで対応するようにしている場合もある。そのため、ある種のＴＳＬ回線では、標準の遅延ＰＦアダプタを用いると受信状態情報を表示することができなかった。
以上のことから、既に設置されたＴＳＬ回線に対して、回線の方式の確認や、使用するＰＦアダプタの選択等、対応が難しかった。更にまた、多段中継伝送の場合、途中での回線状態を把握できなかった。
本発明の目的は、上記のような問題に鑑み、どのような回線方式であっても、多段中継の場合でも、また標準遅延プロファイルアダプタであっても、遅延プロファイル情報等の受信状態情報を表示可能な中継伝送装置を提供することにある。
【課題を解決するための手段】
【００１４】
上記の目的を達成するため、本発明の中継伝送装置は、受信状態情報のＰＩＤのＩＤ値の記述を、ＦＦ“Ｐｆ＿ｆ”とＦＤ“Ｐｆ＿ｄ”に交互に切替えて多重し、中継受信状態を最終段に伝送するようにしたものである。
即ち、ＰＩＤのＩＤ値を“ＦＤ”と記述する装置を作って多重伝送し、遅延プロファイルアダプタを特殊タイプとした。更に、遅延プロファイル情報のＰＩＤのＩＤ値を“ＦＦ”と“ＦＤ”とに、一定時間周期毎に切換えて多重した。また更に、好ましくは、中継段の伝送装置の多重部は、特定のＩＤ値を捜して中継段の受信状態を示すパケットを前段のパケットと差し替えることで、中途の回線状態を伝送するようにしたものである。
【００１５】
即ち、本発明の中継伝送装置は、ＴＳ信号を受信し、該受信したＴＳ信号を復号して、該受信したＴＳ信号の受信状態情報を検出して該復号したＴＳ信号と共に出力する受信手段と、前記復号したＴＳ信号のＴＳパケット中に前記受信状態情報を、第１のＩＤ値を記述したＰＩＤと共に挿入する多重手段と、前記多重手段の出力信号のＴＳ信号を送信する送信手段とを備える中継装置において、前記多重手段は、更に、所定の周期で前記復号したＴＳ信号のＴＳパケット中に、前記受信状態情報を、所定の周期で第２のＩＤ値で記述したＰＩＤと共に挿入する手段を備えたものである。
また好ましくは、上記本発明の中継伝送装置の前記多重手段は、前記第１のＩＤ値で記述されたＰＩＤを有するＴＳパケットを抽出する抽出手段を備え、前記中継伝送装置が受信したＴＳ信号の受信状態情報を所定の頻度で、第３のＩＤ値に置き換えて、次段の中継伝送装置若しくは受信装置に送信する手段を備えたものである。
また好ましくは、上記本発明の中継伝送装置の前記多重手段は、前記受信状態情報を前記ＴＳパケット中のｎｕｌｌ情報と差し替えるものである。
【発明の効果】
【００１６】
本発明に拠れば、受信状態情報を、異なるＩＤ値で記述された複数種類のＰＩＤを有するＴＳパケット中に多重して伝送することが可能である。従って、特定のＰＩＤを除去する回線でも受信状態情報を抽出して表示できる。また、対応する伝送状態情報のＴＳパケットの抽出が、特定の種類であっても表示可能である。また更に、多段接続においても、途中の回線状態を把握可能である。
【発明を実施するための最良の形態】
【００１７】
以下、添付図面を参照しながら本発明の実施形態を詳細に説明する。なお、従来例の図５〜図７を含めた各図において、共通な機能を有する構成要素には同一の参照番号を付し、説明の重複を避け、できるだけ説明を省略する。
【００１８】
本発明の受信情報表示方法の一実施例を図１によって説明する。図１は、本発明の中継伝送装置の一実施例の概略構成を示すブロック図である。図６の場合と同様に、撮影現場を地点Ａとし、中継部を２か所（地点Ｂ及び地点Ｃ）設け、放送局を地点Ｄとしている。地点Ａで取得した生映像（本線信号）、即ち、カメラで撮影されたロードレース中のランナーの映像と音声のＴＳ信号は、地点Ａ、地点Ｂ、地点Ｃ、地点Ｄの順番で中継される。図１の実施例では、受信ユニット５０２、５０３、５０４の替わりに、受信ユニット５０２′、５０３′、５０４′としたものである。この受信ユニット５０２′、５０３′、５０４′は、マルチプレクサ（ MUX ）４０２、４０３、４０４の替わりに、マルチプレクサ（ MUX ）４０２′、４０３′、４０４′としたものである。また、各マルチプレクサは、例えば、マルチプレクサ４０２′で説明すると、マルチプレクサ本体１１に加え、制御器１３とＩＤ値を切替える切替器１２を加えたものである。なお、マルチプレクサ４０３′と４０４′は図示していない。
【００１９】
図１において、撮影現場（地点Ａ）から中継部Ｉ（地点Ｂ）、中継部ＩＩ（地点Ｃ）、及び放送局（地点Ｄ）間の電波の送信受信は、従来例と同様である。中継部におけるマルチプレクサの構成と動作が異なる。
マルチプレクサ４０２′の構成と動作について、以下説明する。なお、図示しないマルチプレクサ４０３′及び４０４′もマルチプレクサ４０２′と同一の機能と構成を備える。
図１の受信ユニット（ RU1 ）５０２′において、受信機 ２０２は、受信用アンテナ３０２Ｒから入力された受信信号Ｗ１を中間周波数信号に変換して復調し、再生圧縮データとして復元する。復元された再生圧縮データのＴＳ信号は、送信機１０２から送信用アンテナ３０２Ｔを介して、電波Ｗ２として送信されると共に、マルチプレクサ４０２′に出力される。
【００２０】
マルチプレクサ４０２′では、マルチプレクサ本体１１は、受信機２０２から生映像のＴＳ信号と、受信状態情報の入ったＴＳ信号を入力する。
制御器１３は、切替パルスを所定周期で切替器１２に出力する。
切替器１２は、制御器１３から入力される切替パルスに応じて、２種類のＩＤ値１若しくはＩＤ値２を周期的に交互に選択し、マルチプレクサ本体１１に出力する。
マルチプレクサ本体１１は、２種類のＩＤ値を所定時間周期（例えば、５００［ｍｓ］）毎に切り替えて多重し、本線ＴＳ及びＩＤ値１の情報ＴＳ、或いは、本線ＴＳ及びＩＤ値２の情報ＴＳとして、送信機１０２に出力する。
なお、地点Ｃの受信ユニット５０３′のように、更に、遅延プロファイル表示部（遅延ＰＦアダプタ）６０３等に出力する場合もある。
【００２１】
受信状態情報の多重の具体的な説明をタイムチャートを図２によって説明する。図２は、本発明の受信状態情報を多重化した場合のＴＳ信号の一実施例のタイミングチャートである。ＴＳパケットＴＳ１２１−１〜ＴＳ１２１−６、ＴＳ１２１−７′、ＴＳ１２１−８〜１２１−１１、‥‥‥が、横（時間軸上）に伝送されていることを示している。図２は、このＴＳパケットの中に遅延プロファイル等の受信状態情報を定期的に多重して伝送しているタイミングについて説明するための図である。
即ち、図２において、４個目のＴＳ１２１−３、１２１−７、及び１２１−１０、‥‥‥と、４個目毎のＴＳパケットに、受信状態情報をｎｕｌｌ情報と差し替えてＩＤ値として、“ＦＦ”若しくは“ＦＤ”に入れて伝送している。
【００２２】
本発明の中継伝送装置の他の実施例を図３によって説明する。図３は、本発明の中継伝送装置の一実施例の概略構成を示すブロック図である。図１の場合と同様に、撮影現場を地点Ａとし、中継部を２か所（地点Ｂ及び地点Ｃ）設け、放送局を地点Ｄとしている。地点Ａで取得した生映像（本線信号）は、地点Ａ、地点Ｂ、地点Ｃ、地点Ｄの順番で中継される。図３の実施例では、図１の実施例における２段目の中継部ＩＩ以降の中継部の受信ユニット５０３′の替わりに、受信ユニット５０３″としたものである。この受信ユニット５０３″は、図示しないマルチプレクサ（ MUX ）４０３′の替わりに、マルチプレクサ（ MUX ）４０３″としたものである。また、マルチプレクサ４０３″は、マルチプレクサ４０２′の切替器１２、及び制御器１３の替わりに、検知器１４としたものである。
【００２３】
図３の受信ユニット５０３″において、受信機２０３からの復元された再生圧縮データのＴＳ信号は、直接送信機１０３には出力されない。受信機２０３から出力された、生映像のＴＳ信号と受信状態情報の入ったＴＳ信号は、先ず、デコーダ８０３と、マルチプレクサ４０３″の検知器１４とマルチプレクサ本体１１とに入力される。
検知器１４は、入力されたＴＳ信号のＴＳパケットからＰＩＤ＝ＦＦのＩＤ値を有するＴＳパケットを検出し、検出したＰＩＤ＝ＦＦのＩＤ値（“Ｐｆ＿ｆ”）を有するＴＳパケットについて“ｆ”を頻度５０％の割合でＩＤ値を“ｃ”に変更する（Ｐｆ＿ｃ）。そして、地点Ｃでの受信状態情報を、このＴＳパケットに挿入する。このような処理を受けたＴＳ信号は、送信機１０３に出力され、送信機１０３から送信用アンテナ３０３Ｔを介して、次段の中継部若しくは放送局に送信される。
【００２４】
図４は、図３の実施例の場合の受信状態情報を多重化した場合のＴＳ信号のタイミングチャートである。図４(a) は、マルチプレクサ４０３″に入力されるＴＳ信号で図２のＴＳ信号と同じものである。図４(b) はマルチプレクサ４０３″から出力されるＴＳ信号である。
ＴＳパケットＴＳ１２１−３は、入力時及び出力時共に変わらず、ＰＩＤ＝ＦＦであるが、ＴＳパケットＴＳ１２１−１１は、入力時にはＰＩＤ＝ＦＦであるが、出力時にはＴＳ１２１−１１′でＰＩＤ＝ＦＣ（“Ｐｆ＿ｃ”）に変わっている。
【００２５】
なお、このとき、ＰＩＤ＝ＦＤのＩＤ値を有するＴＳパケットはそのまま次段の中継部若しくは放送局に送信される。
アダプタによっては、ＰＩＤ＝ＦＦではなく、ＰＩＤ＝ＦＤで上述のような処理をしても良い。
また、更に次段（地点Ｄが中継部で有る場合）の処理として、ＰＩＤ＝ＦＦを地点Ｄでは、更に頻度２５％の割合で、地点Ｄでの受信状態情報を挿入しても良い（ＰＩＤ＝Ｆｂ“Ｐｆ＿ｂ”）。
【００２６】
上記実施例によれば、受信地点での電界状態、反射波の有無およびレベル、ＢＥＲ等の受信状態情報を、複数種類のＰＩＤのＩＤ値のヘッダー情報と共に、後段へ伝送することができる。
また、特定のＰＩＤを除去する回線でも遅延ＰＦ等の受信状態情報を抽出して表示できる。
更に、対応する情報ＴＳの抽出が、ＰＩＤのＩＤ値が特定の１種類であっても、表示可能となる。
また更に、多段接続において、もそれぞれの中継段での受信状態情報が後段で取得できる。
【００２７】
なお、上述のデジタル伝送システムにおける中継ユニットは、画像圧縮部と変調送信部とからなる送信装置と、ＡＧＣ部と伝送路復号化部と反射波検出部を含む復調部（受信状態情報出力機能付き受信機）によって構成されるデジタル伝送装置で、第１の受信状態情報用ＩＤ値と第２の受信状態情報用ＩＤ値とを所定の周期で切替える切換器と、受信状況重畳器を備えた中継装置であっても良い。
またこの中継装置で多段の中継伝送を行う場合、各中継段毎にその時点での受信状態情報をＴＳ信号に加えるために、ＩＤ値を各中継段毎に後段にて差し替え置換する機能を持つマルチプレクサで構成する中継装置としても良い。
【図面の簡単な説明】
【００２８】
【図１】本発明の中継伝送装置の一実施例の概略構成を示すブロック図。
【図２】本発明の受信状態情報を多重化した場合のＴＳ信号のタイミングチャート。
【図３】本発明の中継伝送装置の一実施例の概略構成を示すブロック図。
【図４】本発明の受信状態情報を多重化した場合のＴＳ信号のタイミングチャート。
【図５】従来の映像中継システムの概略構成を説明するための図。
【図６】従来の中継伝送装置の概略構成を示すブロック図。
【図７】従来の受信状態情報を多重化した場合のＴＳ信号のタイミングチャート。
【符号の説明】
【００２９】
１１：マルチプレクサ本体、  １２：切替器、  １３：制御器、  １００、１０１、１０２、１０３：送信機、  ２００、２０２：受信機、  ３００：送信機、  ３０１：送信用アンテナ、  ３０２Ｒ：受信用アンテナ、  ３０２Ｔ：送信用アンテナ、  ３０３Ｒ：受信用アンテナ、  ４００：受信機、  ４０２、４０２′、４０３：マルチプレクサ、  ５０２、５０２′、５０３、５０３′、５０４、５０４′：受信ユニット、  ６０３：遅延プロファイル表示部、  ７０３：表示画面例、  ８０３：デコーダ、  ３０３Ｔ：送信用アンテナ、  ３０４：受信用アンテナ、  ５０４：受信ユニット、  ６０４：遅延プロファイル表示部、  ８０４：デコーダ、  Ｗ１、Ｗ２、Ｗ３：信号電波。
【図１】
0005153372.tif 000002
【図２】
0005153372.tif 000003
【図３】
0005153372.tif 000004
【図４】
0005153372.tif 000005
【図５】
0005153372.tif 000006
【図６】
0005153372.tif 000007
【図７】
0005153372.tif 000008